(57)【要約】【課題】画像形成装置において、受部に堆積した紙粉を容易に画像形成装置の本体の外部に排出する。【解決手段】回転ローラ１００によって記録用紙を搬送すると共に上記記録用紙に画像を形成する画像形成装置であって、上記回転ローラ１００に付着した紙粉を掻き落とすことによって上記回転ローラ１００から除去する除去部２００と、画像形成装置の本体Ｓ２に固定されると共に上記除去部２００によって掻き落とされた上記紙粉を受ける受部３００と、上記本体Ｓ２から引き出し可能な引出部材４１と、該引出部材４１に固定されると共に上記本体Ｓ２からの上記引出部材４１の引き出し動作に伴って上記受部３００に溜まった紙粉を上記受部３００から掻き出す掻き出し部材５００とを備える。【選択図】図３
2009080307.tif 000002
【特許請求の範囲】
【請求項１】
回転ローラによって記録用紙を搬送すると共に前記記録用紙に画像を形成する画像形成装置であって、
前記回転ローラに付着した紙粉を掻き落とすことによって前記回転ローラから除去する除去部と、
画像形成装置の本体に固定されると共に前記除去部によって掻き落とされた前記紙粉を受ける受部と、
前記本体から引き出し可能な引出部材と、
該引出部材に固定されると共に前記本体からの前記引出部材の引き出し動作に伴って前記受部に溜まった紙粉を前記受部から掻き出す掻き出し部材と
を備えることを特徴とする画像形成装置。
【請求項２】
前記受部が、前記引出部材の引き出し方向に延在する床部と、該床部の前記延在方向に対して直交する方向の両端に立設される側壁とを備え、
前記掻き出し部材が、前記床部と前記側壁とによって囲われた領域を前記引出部材の引き出し動作に伴って移動する板部材である
ことを特徴とする請求項１記載の画像形成装置。
【請求項３】
前記板部材の前記床部及び前記側壁との摺動箇所が可撓性を有することを特徴とする請求項２記載の画像形成装置。
【請求項４】
前記受部が、前記引出部材の引き出し方向に延在する床部と、該床部の前記延在方向に対して直交する方向の両端に立設される側壁とを備え、
前記掻き出し部材が、前記床部と前記側壁とによって囲われた領域を前記引出部材の引き出し動作に伴って前記床部及び前記側壁と摺動しながら移動する刷毛部材である
ことを特徴とする請求項１記載の画像形成装置。
【請求項５】
前記床部は、前記掻き出し部材の移動可能範囲よりも前記引き出し方向と反対側の方向に延在していることを特徴とする請求項２〜４いずれかに記載の画像形成装置。
【請求項６】
前記受部は、前記引き出し方向と反対側の方向の端部にさらに側壁を備えることを特徴とする請求項２〜５いずれかに記載の画像形成装置。
【請求項７】
前記掻き出し部材を前記引き出し方向に複数備えることを特徴とする請求項１〜６いずれかに記載の画像形成装置。
【請求項８】
前記受部から掻き出される前記紙粉を受けると共に前記本体に対して脱着可能な紙粉受箱を備えることを特徴とする請求項１〜６いずれかに記載の画像形成装置。
【請求項９】
前記引出部材は、静電潜像が形成される感光体にトナーを供給する現像器あるいは該現像器に補給するトナーを収容するコンテナであることを特徴とする請求項１〜８いずれかに記載の画像形成装置。
【発明の詳細な説明】
【技術分野】
【０００１】
本発明は、画像形成装置に関するものである。
【背景技術】
【０００２】
画像形成装置においては、複数の回転ローラによって記録用紙を搬送し、この搬送過程において記録用紙に画像を形成する。
このような複数の回転ローラでは、記録用紙の搬送に伴って記録用紙から発生する紙粉が付着する。特に、複数の回転ローラのうち、印刷部への記録用紙の供給タイミングの制御や姿勢の制御を行うレジストローラは、特に記録用紙から発生する紙粉が付着し易い。
回転ローラに多くの紙粉が付着した場合には、回転ローラと記録用紙との間の摩擦が低減し、記録用紙の搬送に支障を来たす場合がある。そこで、特許文献１〜５には、レジストローラに付着した紙粉を除去する方法が提案されている。
【特許文献１】特許第２６３３０３５号公報
【特許文献２】特許第２７５３８４４号公報
【特許文献３】特許第３２４７２３３号公報
【特許文献４】特開２００５−１７８９１１号公報
【特許文献５】特開２００６−１１７３９７号公報
【発明の開示】
【発明が解決しようとする課題】
【０００３】
ところで、レジストローラから除去された紙粉は、レジストローラの下方に設置された受部に落下して堆積する。受部は、画像形成装置の本体に対して脱着可能とされている。そして、サービスマン等がメンテナンス際に受部を本体から取り外し、受部に堆積した紙粉を画像形成装置の外部に排出している。
【０００４】
しかしながら、受部は、レジストローラの全長から掻き落とされる紙粉を受け取る必要があるため、レジストローラの全長あるいはそれ以上の長さが必要となる。このような大きな部材である受部を本体に対して脱着する作業は、その作業者に対して負担となる。
【０００５】
本発明は、上述する問題点に鑑みてなされたもので、画像形成装置において、受部に堆積した紙粉を容易に画像形成装置の本体の外部に排出可能とすることを目的とする。
【課題を解決するための手段】
【０００６】
上記目的を達成するために、本発明は、回転ローラによって記録用紙を搬送すると共に上記記録用紙に画像を形成する画像形成装置であって、上記回転ローラに付着した紙粉を掻き落とすことによって上記回転ローラから除去する除去部と、画像形成装置の本体に固定されると共に上記除去部によって掻き落とされた上記紙粉を受ける受部と、上記本体から引き出し可能な引出部材と、該引出部材に固定されると共に上記本体からの上記引出部材の引き出し動作に伴って上記受部に溜まった紙粉を上記受部から掻き出す掻き出し部材とを備えることを特徴とする。
【０００７】
また、本発明は、上記受部が、上記引出部材の引き出し方向に延在する床部と、該床部の上記延在方向に対して直交する方向の両端に立設される側壁とを備え、上記掻き出し部材が、上記床部と上記側壁とによって囲われた領域を上記引出部材の引き出し動作に伴って移動する板部材であるという構成を採用する。
【０００８】
また、本発明は、上記板部材の上記床部及び上記側壁との摺動箇所が可撓性を有するという構成を採用する。
【０００９】
また、本発明は、上記受部が、上記引出部材の引き出し方向に延在する床部と、該床部の上記延在方向に対して直交する方向の両端に立設される側壁とを備え、上記掻き出し部材が、上記床部と上記側壁とによって囲われた領域を上記引出部材の引き出し動作に伴って上記床部及び上記側壁と摺動しながら移動する刷毛部材であるという構成を採用する。
【００１０】
また、本発明は、上記床部が、上記掻き出し部材の移動可能範囲よりも上記引き出し方向と反対側の方向に延在しているという構成を採用する。
【００１１】
また、本発明は、上記掻き出し部材を上記引き出し方向に複数備えるという構成を採用する。
【００１２】
また、本発明は、上記受部から掻き出される上記紙粉を受けると共に上記本体に対して脱着可能な紙粉受箱を備えるという構成を採用する。
【００１３】
また、本発明は、上記引出部材は、静電潜像が形成される感光体にトナーを供給する現像器あるいは該現像器に補給するトナーを収容するコンテナであるという構成を採用する。
【発明の効果】
【００１４】
本発明によれば、引出部材が本体から引き出される際に、引出部材に固定された掻き出し部材によって、受部に溜まった紙粉が受部から掻き出される。
このように受部から掻き出される紙粉は、本体の外部に取り出しやすい一箇所に集めたり、直接本体から排出することができる。
したがって、本発明によれば、画像形成装置において、受部に堆積した紙粉を容易に画像形成装置の本体の外部に排出することが可能となる。
【発明を実施するための最良の形態】
【００１５】
以下、図面を参照して、本発明に係る画像形成装置の一実施形態について説明する。なお、以下の図面において、各部材を認識可能な大きさとするために、各部材の縮尺を適宜変更している。また、以下の説明においては、画像形成装置の一実施形態である複写機について説明する。
【００１６】
（第１実施形態）
図１は、本実施形態の画像形成装置の機能構成を示すブロック図である。また、図２は、本実施形態の画像形成装置の概略構成を示す断面図である。
図１に示すように、複写機Ｓ１は、表示操作部１、画像読取部２、画像記憶部３、画像処理部４、印刷部５及び制御部６を備えている。
なお、本実施形態において、複写機Ｓ１は、現像剤として磁性を有するトナーのみを用いる、いわゆる磁性一成分方式の複写機であるものとする。
【００１７】
表示操作部１は、ユーザと複写機Ｓ１とを関係付けるマンマシンインタフェースとして装置の前面に設置される（図２においては不図示）ものであり、タッチパネル１ａ及び操作キー１ｂを備えている。
タッチパネル１ａは、表示面に抵抗膜方式等の透明な面状押圧センサを設けた表示パネルであり、ユーザに提供する情報の表示を行うと共に、ユーザの操作に基づく操作信号を出力する。
操作キー１ｂは、例えば電源ボタンやコピー開始ボタン等の、タッチパネル１ａに表示される操作ボタン以外の操作キー（ハードウェアキー）であり、ユーザの操作に基づく操作信号を出力する。
【００１８】
画像読取部２は、制御部６から入力される制御指令に基づいて、ＡＤＦ（Auto Document Feeder）によって自動給紙される原稿あるいはプラテンガラス上に載置された原稿の画像をＣＣＤセンサ等で読み取って原稿画像データに変換するものであり、この原稿画像データを出力するものである。
この画像読取部２は、図２に示すように、複写機Ｓ１の上部を構成するものである。そして、上記表示操作部１は、例えば、画像読取部２の近傍に配置される。
【００１９】
図１に戻り、画像記憶部３は、半導体メモリあるいはハードディスク装置等であり、制御部６から入力される制御指令に基づいて、画像読取部２から入力される上記原稿画像データを記憶すると共に当該原稿画像データを読み出して出力する。
【００２０】
画像処理部４は、制御部６から入力される制御指令に基づいて、画像記憶部３から入力される原稿画像データを印刷形式の画像データに変換して出力するものであり、必要に応じて原稿画像データに各種画像処理を施して印刷形式の画像データに変換する。
【００２１】
印刷部５は、制御部６から入力される制御指令に基づいて用紙カセット７あるいは給紙トレー８（図２参照）から給紙される記録用紙（印刷媒体）に印刷（画像形成）を行うものであり、図２に示すように、複写機Ｓ１の略中央部を構成している。
この印刷部５は、図２に示すように、感光体ドラム（感光体）１０、帯電器２０、レーザスキャニングユニット３０、現像装置４０、クリーニングユニット５０、及び定着器７０を備えている。
【００２２】
感光体ドラム１０は、円柱に形状設定されると共に図２の紙面奥行き方向に延在して配置されており、その周面に静電潜像及び該静電潜像に基づくトナー像が形成されるものである。
帯電器２０は、感光体ドラム１０に対して対向配置されており、感光体ドラム１０の周面を帯電状態とするものである。
レーザスキャニングユニット３０は、感光体ドラム１０の上方に配置されており、印刷形式の画像データに基づいて射出されるレーザ光を感光体ドラム１０の周面において走査するものである。
そして、帯電器２０によって感光体ドラム１０の周面が帯電され、レーザスキャニングユニット３０によって帯電された感光体ドラム１０の周面にレーザ光が走査されることで、感光体ドラム１０の周面に、印刷形式の画像データに基づく静電潜像が形成される。
【００２３】
現像装置４０は、感光体ドラム１０の周面に対してトナーを供給することによって感光体ドラム１０の周面上に静電潜像に基づく画像を現像するものであり、感光体ドラム１０に対向配置される。
現像装置４０は、感光体ドラム１０にトナーを供給する現像器４１と、該現像器４１に補給するトナーを収容するコンテナ４２とが接続された構成を有する。
【００２４】
図３〜図５は、現像装置４０の近傍を拡大した拡大図であり、図３が斜視図、図４が側面図、図５が平面図である。なお、図３〜図５において、コンテナ４２の図示は省略している。
現像器４１（引出部材）は、複写機Ｓ１の本体Ｓ２に対して引き出すことが可能な構成とされている。具体的に本実施形態の複写機Ｓ１においては、現像器４１は、図４における紙面奥側から手前側に引き出すことが可能とされている。
なお、図３〜図５において、現像器４１の引き出し方向をＸ方向とし、Ｘ方向と直交する水平方向をＹ方向とする。
【００２５】
また、図３及び図４に示すように、本実施形態の複写機Ｓ１は、現像器４１の側方に、記録用紙を上記感光体ドラム１０に供給するためのタイミングの制御や記録用紙の姿勢の制御を行うためのレジストローラ１００（回転ローラ）が配置されている。
また、本実施形態の複写機Ｓ１は、レジストローラ１００に付着した紙粉を掻き落とすことによってレジストローラ１００から除去するスクレーパ２００を備えている。
【００２６】
さらに本実施形態の複写機Ｓ１は、スクレーパ２００によってレジストローラ１００から掻き落とされた紙粉を受けるための受部３００を備えている。この受部３００は、複写機Ｓ１の本体Ｓ２に固定されており、レジストローラ１００と現像器４１との間の隙間Ａを介して落下する紙粉を受けることができるように、隙間Ａの下方に配置されている。
【００２７】
受部３００は、現像器４１の引き出し方向であるＸ方向に延在する床部３０１と、床部３０１の延在方向と直交する水平方向であるＹ方向の両端に立設される側壁３０２，３０３とを備えている。
また、図５に示すように、受部３００のＸ方向の一方の端部（図４の紙面奥側方向である−Ｘ側の端部）には側壁３０４が立設され、Ｘ方向の他方の端部３０５（図４の紙面手前方向である＋Ｘ側の端部）は開放されている。そして、端部３０５の下方には、上部が開放された回収箱４００が設置されている。
【００２８】
そして、本実施形態の複写機Ｓ１においては、現像器４１に固定されると共に本体Ｓ２からの現像器４１の引き出し動作に伴って受部３００に溜まった紙粉を受部３００から掻き出す板部材５００（掻き出し部材）を備える。
板部材５００は、受部３００の側壁３０２，３０３間と略同一の幅を有し、現像器４１の下面４１ａから受部３００の床部３０１までの距離と略同一の高さを有しており、現像器４１の下面に固定されている。また、板部材５００は、ゴム等の可撓性を有する材料によって形成されている。
【００２９】
この板部材５００は、現像器４１を本体Ｓ２から引き出す場合に、現像器４１と共に引き出し方向に移動される。つまり、板部材５００は、現像器４１の引き出し動作に伴って受部３００の床部３０１と側壁３０２，３０３に囲まれた領域を受部３００に対して摺動しながら移動する。そして、この移動過程において、受部３００に堆積する紙粉を受部３００の端部３０５を介して受部３００から掻き出す。
【００３０】
回収箱４００（紙粉受箱）は、本体Ｓ２に対して脱着可能とされており、容易に複写機Ｓ１の外部に取り出すことができるように構成されている。
そして、この回収箱４００は、受部３００の開放された端部３０５から板部材５００によって掻き出された紙粉を受けるように構成されている。
【００３１】
なお、図５に示すように、本実施形態の複写機Ｓ１においては、受部３００の床部３０１は、板部材５００の移動範囲によりも、さらに奥側（−Ｘ側）に延在して形成されている。すなわち、受部３００が、板部材５００の移動可能範囲よりも引き出し方向と反対側の方向に延在している。
【００３２】
図２に戻り、クリーニングユニット５０は、感光体ドラム１０から記録用紙にトナー像が転写された後に、感光体ドラム１０に残存するトナーを除去するものであり、感光体ドラム１０に対向配置される。
定着器７０は、熱及び圧力を加えることによって、トナーを記録用紙に対して定着させるものであり、記録用紙の搬送経路であって、現像装置４０の後流側に配置されている。
【００３３】
そして、このように構成された印刷部５においては、帯電器２０によって感光体ドラム１０の表面が帯電され、この帯電された感光体ドラム１０に対してレーザスキャニングユニット３０にてレーザ光を照射することによって感光体ドラム１０に静電潜像を形成する。その後、当該静電潜像を現像装置４０によって現像し、現像されたトナー像を記録用紙に転写した後、定着器７０にてトナーを記録用紙に定着させることによって印刷が行われる。
【００３４】
図１に戻り、制御部６は、本実施形態の複写機Ｓ１の全体の制御を行うものである。
【００３５】
以上のような構成を有する本実施形態の複写機Ｓ１においては、制御部６の制御の下、ユーザの表示操作部１の操作に基づいて、画像読取部２にセットされた原稿の画像データが読み込まれ、読み込まれた画像データが画像記憶部３に記憶される。画像記憶部３に記憶された画像データは、画像処理部４において印刷形式の画像データに変換され印刷部５に入力する。そして、印刷部５では、画像処理部４から入力された印刷形式の画像データに基づいて印刷用紙への画像形成が行われる。その後、画像が形成された印刷用紙が印刷物として複写機Ｓ１の外部に排出される。
【００３６】
そして、本実施形態の複写機Ｓ１において、メンテナンス時において、現像器４１を本体Ｓ２から取り出す場合には、本体Ｓ２から現像器４１から本体Ｓ２の前方へ引き出される。
この際、現像器４１に取り付けられた板部材５００が受部３００の床部３０１と側壁３０２，３０３に囲まれた領域を受部３００に対して摺動しながら移動するため、受部３００に溜まった紙粉が板部材５００の移動によって掻き集められる。そして、板部材５００の移動によって掻き集められた紙粉は、さらに板部材５００の移動によって移動され、受部３００の開放された端部３０５から受部３００の外部に排出される。受部３００の端部３０５から排出された紙粉は、回収箱４００の中に落ちて収容される。
このため、メンテナンスの作業者は、回収箱４００の中に集められた紙粉を除去するのみで、紙粉を複写機Ｓ１の外部に排出することができる。
なお、感光体ドラム１０に付着したトナーを除去するクリーニングユニット５０によって除去されたトナーを回収するトナー回収箱がある場合には、回収箱４００をトナー回収箱の近傍に配置あるいはトナー回収箱に接続して配置されるように構成することが好ましい。
このように構成することによって、トナー回収箱と回収箱４００との両方を一度に取り出すことが可能となり、作業者の負担をさらに低減させることが可能となる。
【００３７】
このように、本実施形態の複写機Ｓ１においては、現像器４１が本体Ｓ２から引き出される際に、現像器４１に固定された板部材５００によって、受部３００に溜まった紙粉が受部３００から掻き出される。
このように受部３００から掻き出される紙粉は、本体Ｓ２の外部に取り出しやすい一箇所である回収箱４００に集められる。つまり、受部３００を本体Ｓ２から取り外すことなく、回収箱４００に集められた紙粉を除去することによって容易に紙粉を複写機Ｓ１の外部に排出することが可能となる。
したがって、本実施形態の複写機Ｓ１によれば、受部３００に堆積した紙粉を容易に複写機Ｓ１の本体Ｓ２の外部に排出することが可能となる。
【００３８】
また、本実施形態の複写機Ｓ１においては、板部材５００がゴム等の可撓性を有する部材から形成されている。
このため、本実施形態の複写機Ｓ１によれば、現像器４１を引き出す際に、受部３００と板部材５００との密着性を高め、受部３００に堆積された紙粉をより確実に掻き集めることができる。
なお、板部材５００は、全てが上記可撓性を有する部材から形成されている必要はなく、受部３００との当接部位を含む先端領域が、上記可撓性を有する部材から形成され、それ以外の部位が剛性の高い材料によって形成されていても良い。
【００３９】
また、本実施形態の複写機Ｓ１においては、受部３００が、板部材５００の移動可能範囲よりも引き出し方向と反対側の方向に延在している。
例えば、現像器４１を本体Ｓ２から引き出した際に受部３００に紙粉が一部残った場合には、現像器４１を戻した際に板部材５００によって受部３００の残存する紙粉が引き出し方向と逆方向に掻き集められてしまう。そして、逆方向に掻き集められた紙粉が受部３００から落下すると、本体Ｓ２内に紙粉が撒き散らされてしまうこととなる。そこで、本実施形態の複写機Ｓ１のように、受部３００を板部材５００の移動可能範囲よりも引き出し方向と反対側の方向に延在させることによって、現像器４１を戻した場合に、紙粉が受部３００から落下することを防止することができる。
【００４０】
さらに、本実施形態の複写機Ｓ１においては、受部３００が、引き出し方向と反端側の端部に立設される側壁３０４を備える。
このため、より確実に、現像器４１を戻した場合に、紙粉が受部３００から落下することを防止することが可能となる。
【００４１】
（第２実施形態）
次に、本発明の第２実施形態について説明する。なお、本第２実施形態の説明において、上記第１実施形態と同様の部分については、その説明を省略あるいは簡略化する。
図６は、本実施形態の複写機が備える現像器４１の近傍を拡大した平面図である。この図に示すように、本実施形態の複写機は、上記第１実施形態の複写機Ｓ１が備える板部材５００の換わりに、刷毛部材６００を備えている。
【００４２】
刷毛部材６００は、上記第１実施形態の複写機Ｓ１が備える板部材５００と同様に、現像器４１に固定されると共に本体Ｓ２からの現像器４１の引き出し動作に伴って受部３００に溜まった紙粉を受部３００から掻き出すものである。
刷毛部材６００は、受部３００の側壁３０２，３０３間と略同一の幅を有し、現像器４１の下面４１ａから受部３００の床部３０１までの距離と略同一の高さを有しており、現像器４１の下面に固定されている。
そして、刷毛部材６００は、現像器４１を本体Ｓ２から引き出す場合に、現像器４１と共に引き出し方向に移動される。つまり、刷毛部材６００は、現像器４１の引き出し動作に伴って受部３００の床部３０１と側壁３０２，３０３に囲まれた領域を受部３００に対して摺動しながら移動する。そして、この移動過程において、受部３００に堆積する紙粉を受部３００の端部３０５を介して受部３００から掻き出す。
【００４３】
このような本実施形態の複写機においても、刷毛部材６００によって受部３００に溜まった紙粉を受部３００から掻き出すことができるため、上記第１実施形態の複写機Ｓ１と同様に、受部３００に堆積した紙粉を容易に複写機Ｓ１の本体Ｓ２の外部に排出することが可能となる。
【００４４】
（第３実施形態）
次に、本発明の第３実施形態について説明する。なお、本第３実施形態の説明においては、上記第１実施形態及び上記第２実施形態と同様の部分については、その説明を省略あるいは簡略化する。
図７は、本実施形態の複写機が備える現像器４１の近傍を拡大した斜視図である。この図に示すように、本実施形態の複写機は、上記第１実施形態の複写機Ｓ１が備える板部材５００と、上記第２実施形態の複写機が備える刷毛部材６００とを両方備えている。
板部材５００と刷毛部材６００とは、引き出し方向（Ｘ方向）に配列されており、＋Ｘ側に板部材５００が設置され、−Ｘ側に刷毛部材６００が設置されている。
【００４５】
このような本実施形態の複写機によれば、現像器４１を本体Ｓ２から引き出す場合に、受部３００の床部３０１と側壁３０２，３０２に囲まれた領域に、まず板部材５００が移動し、その後、刷毛部材６００が移動される。
このため、板部材５００によって掻き集められなかった紙粉が受部３００に残存した場合であっても、刷毛部材６００によって残存した紙粉を掻き出すことが可能となる。
したがって、本実施形態の複写機によれば、より確実に受部３００に堆積した紙粉を容易に複写機Ｓ１の本体Ｓ２の外部に排出することが可能となる。
【００４６】
以上、本発明の実施形態について図面を参照して詳説したが、具体的な構成は、上記実施形態に限定されるものではなく、本発明の要旨を逸脱しない範囲において設計変更等が可能である。
【００４７】
例えば、上記実施形態においては、本発明の画像形成装置の一例として複写機を挙げて説明した。
しかしながら、画像形成装置がファクシミリや複合機等であっても良い。
また、色ごとの感光体ドラム１０を備える、いわゆるタンデム方式の複写機に本発明の画像形成装置を適用することもできる。
【００４８】
また、上記実施形態においては、板部材５００及び刷毛部材６００が、受部３００の床部３０１に対して垂直に配置される構成について説明した。
しかしながら、本発明はこれに限定されるものではなく、板部材５００及び刷毛部材６００が、床部３０１に対して垂直から外れた角度で配置されても良い。
【００４９】
また、上記実施形態においては、受部３００の床面が平面である構成について説明した。
しかしながら、本発明はこれに限定されるものではなく、受部３００の床面が斜面であっても構わない。このように床面を斜面にした場合には、受部３００の深さが場所によって変わることとなる。このため、例えば、紙粉が溜まりやすい場所が深くなるように床面を傾斜させることによって、より多くの紙粉を受部３００に溜めることが可能となる。
なお、このような構成を採用する場合には、板部材５００は、受部３００の傾斜された床面の全体と当接可能なように、先端部が斜めに形状設定される。
【００５０】
また、例えば、板部材５００あるいは刷毛部材６００をヒンジ等を介して現像器４１に固定することによって、板部材５００を引き出し方向と反対側方向に回動可能とする構成を採用しても良い。
このような構成を採用することによって、現像器４１を引き出す場合に、板部材５００あるいは刷毛部材６００に作用する負荷を低減させることが可能となる。
【００５１】
また、上記実施形態においては、板部材５００あるいは刷毛部材６００によって受部３００から掻き出された紙粉を回収箱４００によって回収する構成について説明した。
しかしながら、本発明はこれに限定されるものではなく、回収箱４００を設置しなくても良い。このような場合には、メンテナンスの作業者が、受部３００の開放された端部３０５の下方にゴミ箱等を自ら配置し、当該ゴミ箱によって紙粉を回収すれば良い。
【００５２】
また、上記実施形態においては、現像器４１に対して板部材５００あるいは刷毛部材６００が固定される構成について説明した。
しかしながら、本発明はこれに限定されるものではなく、現像器４１と同様に本体Ｓ２から引き出すことが可能なコンテナ４２に対して板部材５００あるいは刷毛部材６００を固定しても良い。
また、現像器４１及びコンテナ４２の他に、本体Ｓ２から引き出せる引出部材がある場合には、当該引出部材に板部材５００あるいは刷毛部材６００を固定することができる。
【図面の簡単な説明】
【００５３】
【図１】本発明の第１実施形態の複写機の機能構成を示すブロック図である。
【図２】本発明の第１実施形態の複写機の概略構成を示す断面図である。
【図３】本発明の第１実施形態の複写機が備える現像器の近傍を拡大した側面図である。
【図４】本発明の第１実施形態の複写機が備える現像器の近傍を拡大した斜視図である。
【図５】本発明の第１実施形態の複写機が備える現像器の近傍を拡大した平面図である。
【図６】本発明の第２実施形態の複写機が備える現像器の近傍を拡大した側面図である。
【図７】本発明の第３実施形態の複写機が備える現像器の近傍を拡大した斜視図である。
【符号の説明】
【００５４】
Ｓ１……複写機（画像形成装置）、Ｓ２……本体、４１……現像器（引出部材）、１００……レジストローラ（回転ローラ）、２００……スクレーパ（除去部）、３００……受部、３０１……床部、３０２〜３０４……側壁、３０５……端部、４００……回収箱（紙粉受箱）、５００……板部材（掻き出し部材）、６００……刷毛部材（掻き出し部材）
【図１】
2009080307.tif 000003
【図２】
2009080307.tif 000004
【図３】
2009080307.tif 000005
【図４】
2009080307.tif 000006
【図５】
2009080307.tif 000007
【図６】
2009080307.tif 000008
【図７】
2009080307.tif 000009
【手続補正書】
【提出日】平成19年10月2日(2007.10.2)
【手続補正１】
【補正対象書類名】図面
【補正対象項目名】図１
【補正方法】変更
【補正の内容】
【図１】
2009080307.tif 000010